(57)【要約】【課題】各端子の配置密度を低く抑えることができながら、コンパクト化が図られ、光アシスト法が採用される、回路付サスペンション基板を提供すること。【解決手段】基板本体部２０と、基板本体部２０の裏面と対向するように折り返された補助部３０とを備える回路付サスペンション基板１であって、基板本体部２０側に配置される磁気ヘッド３８を搭載するスライダ３９と、補助部３０側に配置される発光素子４０と、外部側端子１７とヘッド側端子１６とを備える第１導体パターン１３と、供給側端子２３と素子側端子２２とを備える第２導体パターン１９とを備え、外部側端子１７、ヘッド側端子１６および供給側端子２３を基板本体部２０に配置し、かつ、素子側端子２２を補助部３０に配置する。【選択図】図６
2010118097.tif 000002
【特許請求の範囲】
【請求項１】
導体パターンを備える回路付サスペンション基板であって、
基板本体部と、
前記基板本体部から連続して形成され、前記基板本体部に対して前記基板本体部の裏面と対向するように、折り返された補助部とを備え、
回路付サスペンション基板において、前記基板本体部と前記補助部との対向方向の前記基板本体部側に配置され、前記導体パターンと電気的に接続される磁気ヘッドを搭載するスライダと、
回路付サスペンション基板において、前記基板本体部と前記補助部との対向方向の前記補助部側に配置され、前記導体パターンと電気的に接続される発光素子とをさらに備え、
前記導体パターンは、
外部回路に電気的に接続される第１端子と、前記磁気ヘッドに電気的に接続される第２端子とを備える第１導体パターンと、
外部回路に電気的に接続される第３端子と、前記発光素子に電気的に接続される第４端子とを備える第２導体パターンと
を備え、
前記第１導体パターンにおいて、前記第１端子および前記第２端子は、ともに前記基板本体部に配置されており、
前記第２導体パターンにおいて、前記第３端子は前記基板本体部または前記補助部に配置され、前記第４端子は前記補助部に配置されていることを特徴とする、回路付サスペンション基板。
【請求項２】
前記スライダと前記発光素子とは、厚み方向において対向配置されていることを特徴とする、請求項１に記載の回路付サスペンション基板。
【請求項３】
前記スライダは、光導波路を備え、
前記発光素子は、前記光導波路と厚み方向において対向するように、前記スライダの裏面に配置されており、
前記基板本体部および前記補助部には、前記発光素子が挿通されるように、それらの厚み方向を貫通する第１開口部が形成されていることを特徴とする、請求項１または２に記載の回路付サスペンション基板。
【請求項４】
前記スライダは、光導波路を備え、
前記発光素子から出射される光が通過して前記光導波路に入射されるように、前記基板本体部および前記補助部には、それらの厚み方向を貫通する第２開口部が形成されていることを特徴とする、請求項１または２に記載の回路付サスペンション基板。
【請求項５】
前記基板本体部には、厚み方向を貫通する第３開口部が形成されており、
前記補助部は、前記第３開口部に挿入される挿入部を備えていることを特徴とする、請求項１〜４のいずれかに記載の回路付サスペンション基板。
【請求項６】
前記基板本体部と前記補助部とは、溶接により接合されていることを特徴とする、請求項１〜５のいずれかに記載の回路付サスペンション基板。
【発明の詳細な説明】
【技術分野】
【０００１】
本発明は、回路付サスペンション基板、詳しくは、光アシスト法が採用されるハードディスクドライブに用いられる回路付サスペンション基板に関する。
【背景技術】
【０００２】
近年、回路付サスペンション基板は、光アシスト法が採用されるハードディスクドライブに用いられることが知られている。光アシスト法では、情報の記録時に、発光素子から磁気ディスクに向けて光照射することにより、磁気ディスクを加熱して、その保磁力を低下させた状態で、磁気ヘッドによって記録する記録方式である。光アシスト法は、情報を小さな記録磁界で高密度に記録できることから、近年、開発が進められている。
【０００３】
そのような光アシスト法を採用すべく、例えば、金属支持基板と、金属支持基板の表面（上面）に実装される発光素子およびスライダとを備える回路付サスペンション基板が提案されている（例えば、特許文献１参照。）。特許文献１の回路付サスペンション基板は、さらに、発光素子と電気的に接続される供給配線の端子部（素子側端子部）と、スライダに搭載される磁気ヘッドと電気的に接続されるヘッド側接続端子部とを備えており、素子側端子部およびヘッド側接続端子部が金属支持基板の同一表面に形成されている。
【特許文献１】特開２００８−１５２８９９号公報
【発明の開示】
【発明が解決しようとする課題】
【０００４】
しかるに、特許文献１では、発光素子とスライダとの両方を、金属支持基板の同一表面に実装するので、素子側端子部とヘッド側接続端子部とを、金属支持基板の同一表面に形成している。そのため、素子側端子部とヘッド側接続端子部とを、高い密度で配置しなければならず、それらの間で短絡し易くなるという不具合がある。
【０００５】
一方、短絡を防止しようとすると、素子側端子部とヘッド側接続端子部とを配置するためのスペースを広く確保する必要があるが、そうすると、回路付サスペンション基板を、ハードディスクドライブにコンパクトに実装できないという不具合がある。
【０００６】
また、発光素子およびスライダも、金属支持基板の同一表面に実装しているので、レイアウトの設計上の制限を受けるという不具合がある。
【０００７】
本発明の目的は、各端子の配置密度を低く抑えることができながら、コンパクト化が図られ、光アシスト法が採用される、回路付サスペンション基板を提供することにある。
【課題を解決するための手段】
【０００８】
上記した目的を達成するために、本発明の回路付サスペンション基板は、導体パターンを備える回路付サスペンション基板であって、基板本体部と、前記基板本体部から連続して形成され、前記基板本体部に対して前記基板本体部の裏面と対向するように、折り返された補助部とを備え、回路付サスペンション基板において、前記基板本体部と前記補助部との対向方向の前記基板本体部側に配置され、前記導体パターンと電気的に接続される磁気ヘッドを搭載するスライダと、回路付サスペンション基板において、前記基板本体部と前記補助部との対向方向の前記補助部側に配置され、前記導体パターンと電気的に接続される発光素子とをさらに備え、前記導体パターンは、外部回路に電気的に接続される第１端子と、前記磁気ヘッドに電気的に接続される第２端子とを備える第１導体パターンと、外部回路に電気的に接続される第３端子と、前記発光素子に電気的に接続される第４端子とを備える第２導体パターンとを備え、前記第１導体パターンにおいて、前記第１端子および前記第２端子は、ともに前記基板本体部に配置されており、前記第２導体パターンにおいて、前記第３端子は前記基板本体部または前記補助部に配置され、前記第４端子は前記補助部に配置されていることを特徴としている。
【０００９】
また、本発明の回路付サスペンション基板では、前記スライダと前記発光素子とは、厚み方向において対向配置されていることが好適である。
【００１０】
また、本発明の回路付サスペンション基板では、前記スライダは、光導波路を備え、前記発光素子は、前記光導波路と厚み方向において対向するように、前記スライダの裏面に配置されており、前記基板本体部および前記補助部には、前記発光素子が挿通されるように、それらの厚み方向を貫通する第１開口部が形成されていることが好適である。
【００１１】
また、本発明の回路付サスペンション基板では、前記スライダは、光導波路を備え、前記発光素子から出射される光が通過して前記光導波路に入射されるように、前記基板本体部および前記補助部には、それらの厚み方向を貫通する第２開口部が形成されていることが好適である。
【００１２】
また、本発明の回路付サスペンション基板では、前記基板本体部には、厚み方向を貫通する第３開口部が形成されており、前記補助部は、前記第３開口部に挿入される挿入部を備えていることが好適である。
【００１３】
また、本発明の回路付サスペンション基板では、前記基板本体部と前記補助部とは、溶接により接合されていることが好適である。
【発明の効果】
【００１４】
本発明の回路付サスペンション基板では、第１端子と第２端子と第３端子とが、いずれも基板本体部に配置され、第４端子が補助部に配置されるか、あるいは、第１端子と第２端子とが、ともに基板本体部に配置され、第３端子と第４端子とが、ともに補助部に配置される。
【００１５】
つまり、第４端子は、第１端子、第２端子および第３端子が配置される基板本体部とは別の補助部に配置されている。あるいは、第３端子および第４端子は、第１端子および第２端子が配置される基板本体部とは別の補助部に配置されている。
【００１６】
そのため、各端子を、基板本体部と補助部とに、別々に低い配置密度で形成でき、これにより、それらの短絡を防止することができる。その結果、導体パターンの接続信頼性の向上を図ることができる。
【００１７】
さらに、この回路付サスペンション基板では、スライダと発光素子とが、基板本体部と補助部との対向方向の両側に、それぞれ配置されている。
【００１８】
そのため、磁気ヘッドを、基板本体部側において、レイアウトの設計上の自由が高められた第２端子に電気的に接続し、発光素子を、補助部側において、レイアウトの設計上の自由が高められた第４端子に電気的に接続することにより、スライダおよび発光素子のレイアウトの設計上の自由を高めることができる。
【発明を実施するための最良の形態】
【００１９】
図１は、本発明の回路付サスペンション基板の一実施形態の折返工程（後述）前の平面図、図２は、図１に示す回路付サスペンション基板のＡ−Ａ線に沿う断面図、図３は、図２に示す回路付サスペンション基板の製造方法を説明するための工程図を示す。また、図４〜図６は、図１の回路付サスペンション基板の折返工程後を示し、図４は平面図、図５は底面図、図６は図４のＢ−Ｂ線に沿う断面図を示す。
【００２０】
なお、図１、図４および図５において、後述するベース絶縁層１２およびカバー絶縁層１４は、後述する導体パターン７の相対配置を明確に示すために省略している。
【００２１】
図４〜図６において、この回路付サスペンション基板１は、図１が参照されるように、後述する補助部３０が折り返され、後述する磁気ヘッド３８を搭載するスライダ３９および発光素子４０を実装して、光アシスト法を採用するハードディスクドライブに用いられる。
【００２２】
まず、補助部３０が折り返される前の回路付サスペンション基板１について、図１および図２を参照して、詳述する。
【００２３】
この回路付サスペンション基板１では、金属支持基板１１に、導体パターン７が支持されている。
【００２４】
金属支持基板１１は、長手方向に延びる平帯状に形成されており、基板本体部２０と補助部３０とを一体的に備えている。
【００２５】
基板本体部２０は、長手方向に延びる平帯状に形成されており、長手方向他方側（以下、後側という。）に配置される配線部２と、配線部２の長手方向一方側（以下、先側という。）に配置される実装部３とを一体的に備えている。
【００２６】
配線部２は、長手方向に延びる平面視略矩形状に形成されている。この配線部２は、裏面（下面）が図示しないロードビームに搭載されて支持される領域として、基板本体部２０において区画されている。
【００２７】
実装部３は、配線部２がロードビームに実装されたときに、ロードビームに搭載されることなく、次に説明する補助部３０とともに、ロードビームから露出する領域として、基板本体部２０において区画されている。具体的には、実装部３は、基板本体部２０における、スライダ３９（に搭載される磁気ヘッド３８）が実装される長手方向一端部（先端部）として形成されている。
【００２８】
詳しくは、実装部３は、配線部２の先端から連続して形成されており、配線部２に対して幅方向（長手方向に直交する方向）両外側に膨出する平面視略矩形状に形成されている。
【００２９】
また、実装部３には、平面視において先側に向かって開く略Ｕ字状のスリット部４が形成されている。また、実装部３は、スリット部４に幅方向において挟まれるジンバル部５と、スリット部４の幅方向両外側に配置されるアウトリガー部８と、ジンバル部５およびアウトリガー部８の先側に配置される配線折返部６とに区画されている。
【００３０】
ジンバル部５は、スライダ３９（図６参照）に動作の自由度を付与する部分あり、実装部３の幅方向中央および先後方向中央に配置され、平面視略矩形状に形成されている。また、ジンバル部５は、スライダ実装領域４３とヘッド側端子形成部４５と本体側開口形成部２４とに区画されている。
【００３１】
スライダ実装領域４３は、その表面（上面）に、スライダ３９（磁気ヘッド３８を搭載するスライダ３９）を実装するための領域であって、ジンバル部５の長手方向中央に配置され、幅方向に長い平面視略矩形状に区画されている。
【００３２】
また、スライダ実装領域４３には、回路付サスペンション基板１の厚み方向（図６が参照されるように、補助部３０が折り返された後には、基板本体部２０と補助部３０との厚み方向）を貫通する本体側挿通開口部９が形成されている。
【００３３】
本体側挿通開口部９は、平面視において、スライダ３９（図６参照）より小さく、かつ、発光素子４０より大きく開口されており、幅方向に長い平面視略矩形状に形成されている。より具体的には、本体側挿通開口部９は、スライダ実装領域４３の長手方向中央および幅方向中央に形成される。
【００３４】
なお、本体側挿通開口部９は、補助部３０が折り返されるときには、後述する補助側挿通開口部１０とともに、第１開口部としての挿通開口部２９を形成する。図６が参照されるように、挿通開口部２９には、発光素子４０が挿通される。
【００３５】
ヘッド側端子形成部４５は、その表面（上面）に、ヘッド側端子１６が形成される領域であって、スライダ実装領域４３の先側に配置されている。ヘッド側端子形成部４５は、幅方向に延びるように区画されている。
【００３６】
本体側開口形成部２４は、スライダ実装領域４３の後側に区画される領域であって、基板本体部２０の厚み方向を貫通する第３開口部としての挿入開口部２５が形成されている。
【００３７】
挿入開口部２５は、平面視において、幅方向に長い長穴形状に形成されている。なお、挿入開口部２５には、図６が参照されるように、後述する補助部３０が折り返されるときに、挿入部２６が挿入される。
【００３８】
配線折返部６は、幅方向に長い平面視略矩形状に区画されている。また、配線折返部６の先側には、その幅方向中央が、先側に向かってやや膨出する膨出部２７が設けられている。
【００３９】
膨出部２７は、ジンバル部５の幅（幅方向長さ）よりやや幅狭または同幅の平面視略矩形状に形成されており、後述する電源配線２１が通過する領域として区画されている。
【００４０】
補助部３０は、基板本体部２０から連続して形成されている。具体的には、補助部３０は、配線折返部６の膨出部２７の先端から先側に向かって延びるように形成されている。詳しくは、補助部３０は、膨出部２７と略同幅の平面視略矩形状に形成されている。
【００４１】
また、補助部３０には、素子側端子形成部４６と補助側開口形成部３６とが区画されている。
【００４２】
素子側端子形成部４６は、表面（上側。図６が参照されるように、補助部３０が折り返されるときには、裏面（下面）。）に、後述する素子側端子２２が形成されている領域であって、補助部３０の長手方向中央に区画されている。
【００４３】
また、素子側端子形成部４６は、ヘッド側端子形成部４５と先側に間隔を隔てて対向配置されている。なお、素子側端子形成部４６は、図６が参照されるように、補助部３０が折り返されるときに、厚み方向において、ヘッド側端子形成部４５と対向配置される。
【００４４】
補助側開口形成部３６は、補助部３０において、素子側端子形成部４６の先側に区画される領域であって、補助部３０の厚み方向を貫通する補助側挿通開口部１０が形成されている。
【００４５】
補助側挿通開口部１０は、平面視において、幅方向に長い平面視略矩形状に形成されており、本体側挿通開口部９と先側に間隔を隔てて対向配置されている。具体的には、補助側挿通開口部１０は、上記した本体側挿通開口部９と、後述する折曲部１８を中心とする線対称形状に形成されている。
【００４６】
また、補助部３０の先側には、挿入部２６が設けられている。
【００４７】
挿入部２６は、補助部３０の先端部の幅方向中央が、先側に向かって突出するように形成されている。挿入部２６は、上記した挿入開口部２５より幅狭または略同幅の平面視略矩形状に形成されている。挿入部２６は、図６が参照されるように、補助部３０が折り返されるときに、挿入開口部２５に挿入される。
【００４８】
また、この回路付サスペンション基板１において、基板本体部２０の膨出部２７と補助部３０と境界には、仮想線で示す折曲部１８が設けられている。
【００４９】
折曲部１８は、幅方向に沿って延びる直線状に形成されており、また、その幅方向両端部には、切欠部２８が形成されている。切欠部２８は、基板本体部２０と補助部３０の幅方向両端部が、幅方向内側に向かって平面視略三角形状に切り欠かれることにより、形成されている。
【００５０】
これにより、折曲部１８は、基板本体部２０（膨出部２７）と補助部３０との間の脆弱部分として形成されるので、補助部３０は、折曲部１８の表面（裏面）が山（谷）となるように、基板本体部２０に対して折返し可能とされている。
【００５１】
また、折曲部１８は、上記した形状の切欠部２８によって、折曲部１８の位置を明瞭に示すことができ、そのため、折返工程（後述）を容易かつ確実に実施することができる。
【００５２】
導体パターン７は、図１および図２に示すように、第１導体パターン１３と、第２導体パターン１９とを備えている。
【００５３】
第１導体パターン１３は、金属支持基板１１の表面に形成されており、第１端子としての外部側端子１７と、第２端子としてのヘッド側端子１６と、これら外部側端子１７およびヘッド側端子１６を接続するための信号配線１５とを一体的に備えている。
【００５４】
各信号配線１５は、基板本体部２０にわたって、長手方向に沿って複数（６本）設けられ、幅方向において互いに間隔を隔てて並列配置されている。
【００５５】
複数の信号配線１５は、第１信号配線１５ａ、第２信号配線１５ｂ、第３信号配線１５ｃ、第４信号配線１５ｄ、第５信号配線１５ｅおよび第６信号配線１５ｆから形成されている。これら第１信号配線１５ａ、第２信号配線１５ｂ、第３信号配線１５ｃ、第４信号配線１５ｄ、第５信号配線１５ｅおよび第６信号配線１５ｆは、幅方向一方側から幅方向他方側に向かって、順次配置されている。
【００５６】
また、実装部３において、第１信号配線１５ａ、第２信号配線１５ｂおよび第３信号配線１５ｃ（一方側信号配線１５ｇ）は、幅方向一方側のアウトリガー部８にわたって配置され、それに沿うように形成されている。また、第４信号配線１５ｄ、第５信号配線１５ｅおよび第６信号配線１５ｆ（他方側信号配線１５ｈ）は、幅方向他方側のアウトリガー部８にわたって配置され、それに沿うように配置されている。
【００５７】
また、第１信号配線１５ａ、第２信号配線１５ｂ、第３信号配線１５ｃ、第４信号配線１５ｄ、第５信号配線１５ｅおよび第６信号配線１５ｆは、配線折返部６において、折り返され、ヘッド側端子形成部４５に至るように配置されている。具体的には、各信号配線１５は、アウトリガー部８の先端から配線折返部６の幅方向両外側部に至って屈曲した後、配線折返部６において、幅方向内側に向かって延び、その後、さらに後側に折り返され、配線折返部６の後端から後側に向かって延び、ヘッド側端子形成部４５のヘッド側端子１６の先端部に至るように配置されている。
【００５８】
また、信号配線１５において、最外側の第１信号配線１５ａおよび第６信号配線１５ｆは、金属支持基板１１の外端縁と、後述する電源配線２１が形成される間隔を隔てて形成されている。
【００５９】
外部側端子１７は、配線部２の表面の後端部に配置され、各信号配線１５の後端部がそれぞれ接続されるように、複数（６つ）設けられている。また、この外部側端子１７は、幅方向に互いに間隔を隔てて配置されている。また、外部側端子１７は、第１信号配線１５ａ、第２信号配線１５ｂ、第３信号配線１５ｃ、第４信号配線１５ｄ、第５信号配線１５ｅおよび第６信号配線１５ｆに対応して接続される、第１外部側端子１７ａ、第２外部側端子１７ｂ、第３外部側端子１７ｃ、第４外部側端子１７ｄ、第５外部側端子１７ｅおよび第６外部側端子１７ｆが、幅方向一方側から幅方向他方側に向かって順次配置されている。
【００６０】
外部側端子１７には、図６の仮想線で示すように、外部回路としての外部回路基板３５が電気的に接続される。なお、外部回路基板３５として、例えば、リード・ライト基板などが用いられる。
【００６１】
ヘッド側端子１６は、実装部３の表面に配置され、より具体的には、ジンバル部５のヘッド側端子形成部４５に配置されている。ヘッド側端子１６は、各信号配線１５の先端部がそれぞれ接続されるように、複数（６つ）設けられている。
【００６２】
より具体的には、ヘッド側端子１６は、ヘッド側端子形成部４５の後端縁（スライダ実装領域４３の先端縁）に沿うように、幅方向において互いに間隔を隔てて配置されている。
【００６３】
複数のヘッド側端子１６は、第１ヘッド側端子１６ａ、第２ヘッド側端子１６ｂ、第３ヘッド側端子１６ｃ、第４ヘッド側端子１６ｄ、第５ヘッド側端子１６ｅおよび第６ヘッド側端子１６ｆから形成されている。また、ヘッド側端子１６は、第３信号配線１５ｃ、第２信号配線１５ｂおよび第１信号配線１５ａ（一方側信号配線１５ｇ）に対応して接続される、第３ヘッド側端子１６ｃ、第２ヘッド側端子１６ｂおよび第１ヘッド側端子１６ａ（一方側ヘッド側端子１６ｇ）と、第６信号配線１５ｆ、第５信号配線１５ｅおよび第４信号配線１５ｄ（他方側信号配線１５ｈ）に対応して接続される、第６ヘッド側端子１６ｆ、第５ヘッド側端子１６ｅおよび第４ヘッド側端子１６ｄ（他方側ヘッド側端子１６ｈ)とが、幅方向一方側から幅方向他方側に向かって順次配置されている。
【００６４】
ヘッド側端子１６には、磁気ヘッド３８がはんだボール４１（図６の仮想線）を介して電気的に接続される。
【００６５】
第１導体パターン１３では、外部回路基板３５から伝達されるライト信号を、外部側端子１７、信号配線１５およびヘッド側端子１６を介して、スライダ３９の磁気ヘッド３８に入力するとともに、磁気ヘッド３８で読み取ったリード信号を、ヘッド側端子１６、信号配線１５および外部側端子１７を介して、外部回路基板３５に入力する。
【００６６】
第２導体パターン１９は、金属支持基板１１の表面に形成されており、第３端子としての供給側端子２３と、第４端子としての素子側端子２２と、これら供給側端子２３および素子側端子２２を接続するための電源配線２１とを一体的に備えている。
【００６７】
電源配線２１は、基板本体部２０および補助部３０の両方にわたって、長手方向に沿って複数（２本）設けられ、幅方向に互いに間隔を隔てて並列配置されている。
【００６８】
複数の電源配線２１は、第１電源配線２１ａおよび第２電源配線２１ｂから形成されている。第１電源配線２１ａは、幅方向一方側に配置され、第２電源配線２１ｂは、幅方向他方側に配置されている。
【００６９】
また、基板本体部２０において、第１電源配線２１ａおよび第２電源配線２１ｂは、幅方向において信号配線１５が形成される間隔を隔てて配置されている。つまり、基板本体部２０において、第１電源配線２１ａは、第１信号配線１５ａの幅方向一方側（外側）に配置されている。また、基板本体部２０において、第２電源配線２１ｂは、第６信号配線１５ｆの幅方向他方側（外側）に配置されている。
【００７０】
より具体的には、第１電源配線２１ａは、アウトリガー部８において、第１信号配線１５ａの幅方向一方側に間隔を隔てて配置され、配線折返部６において、第１信号配線１５ａの先側に間隔を隔てて配置されている。また、第２電源配線２１ｂは、アウトリガー部８において、第６信号配線１５ｆの幅方向他方側に間隔を隔てて配置され、配線折返部６において、第６信号配線１５ｆの先側に間隔を隔てて配置されている。
【００７１】
詳しくは、第１電源配線２１ａは、アウトリガー部８において、第１信号配線１５ａに沿って延び、配線折返部６に至り、幅方向他方側（内側）に屈曲した後、配線折返部６において、幅方向他方側（内側）に向かって延び、配線折返部６の幅方向中央において、先側に屈曲した後、膨出部２７および折曲部１８を順次通過して、補助部３０の素子側端子形成部４６に至るように配置されている。
【００７２】
第２電源配線２１ｂは、アウトリガー部８において、第６信号配線１５ｆに沿って延び、配線折返部６に至り、幅方向一方側（内側）に屈曲した後、配線折返部６において、幅方向一方側（内側）に向かって延び、配線折返部６の幅方向中央において、先側に屈曲した後、膨出部２７および折曲部１８を順次通過して、補助部３０の素子側端子形成部４６に至るように配置されている。
【００７３】
供給側端子２３は、配線部２の表面の後端部に配置され、各電源配線２１の後端部がそれぞれ接続されるように、複数（２つ）設けられている。供給側端子２３は、第１電源配線２１ａおよび第２電源配線２１ｂに対応して接続される、第１供給側端子２３ａおよび第２供給側端子２３ｂから形成されている。第１供給側端子２３ａは、幅方向一方側に配置され、第２供給側端子２３ｂは、幅方向他方側に配置されている。
【００７４】
また、第１供給側端子２３ａと第２供給側端子２３ｂとは、幅方向において外部側端子１７が形成される間隔を隔てて配置されている。
【００７５】
また、供給側端子２３は、幅方向に投影したときに、外部側端子１７と同一位置に配置されるように形成されている。供給側端子２３には、外部回路としての電源（図示せず）が電気的に接続される。
【００７６】
素子側端子２２は、補助部３０の表面に配置され、より具体的には、素子側端子形成部４６に配置されている。素子側端子２２は、各電源配線２１の先端部がそれぞれ接続されるように、複数（２つ）設けられている。
【００７７】
また、素子側端子２２は、素子側端子形成部４６の先端縁（補助側挿通開口部１０の後端縁）に沿うように、幅方向において互いに間隔を隔てて配置されている。また、素子側端子２２は、第１電源配線２１ａおよび第２電源配線２１ｂに対応してそれぞれ接続される、第１素子側端子２２ａおよび第２素子側端子２２ｂからそれぞれ形成されている。第１素子側端子２２ａは、幅方向一方側に配置され、第２素子側端子２２ｂは、幅方向他方側に配置されている。
【００７８】
また、素子側端子２２は、ヘッド側端子１６と先側に間隔を隔てて対向配置されている。なお、素子側端子２２は、図６が参照されるように、補助部３０が折り返された場合、厚み方向に投影したときに、ヘッド側端子１６に対して、やや後側に位置している。
【００７９】
素子側端子２２には、図６の仮想線で示すように、発光素子４０の裏側部（下端部）の端子が、ワイヤ３７を介して電気的に接続される。
【００８０】
第２導体パターン１９では、電源から供給される電気エネルギーを、供給側端子２３、電源配線２１および素子側端子２２を介して、発光素子４０に供給することにより、発光素子４０から高エネルギーの光を出射させる。
【００８１】
そして、この回路付サスペンション基板１は、図２に示すように、金属支持基板１１と、金属支持基板１１の表面に形成されるベース絶縁層１２と、ベース絶縁層１２の表面に形成される導体パターン７と、ベース絶縁層１２の表面に、導体パターン７を被覆するように形成されるカバー絶縁層１４とを備えている。
【００８２】
金属支持基板１１は、例えば、ステンレス、４２アロイ、アルミニウム、銅−ベリリウム、りん青銅などの金属材料から形成されている。好ましくは、ステンレスから形成されている。金属支持基板１１の厚みは、例えば、１５〜５０μｍ、好ましくは、２０〜３０μｍである。
【００８３】
ベース絶縁層１２は、導体パターン７が形成される部分に対応するように形成されている。
【００８４】
ベース絶縁層１２は、例えば、ポリイミド樹脂、ポリアミドイミド樹脂、アクリル樹脂、ポリエーテルニトリル樹脂、ポリエーテルスルホン樹脂、ポリエチレンテレフタレート樹脂、ポリエチレンナフタレート樹脂、ポリ塩化ビニル樹脂などの合成樹脂などの絶縁材料から形成されている。好ましくは、ポリイミド樹脂から形成されている。
【００８５】
ベース絶縁層１２の厚みは、例えば、１〜３５μｍ、好ましくは、８〜１５μｍである。
【００８６】
導体パターン７は、例えば、銅、ニッケル、金、はんだ、またはそれらの合金などの導体材料などから形成されている。好ましくは、銅から形成されている。
【００８７】
導体パターン７の厚みは、例えば、３〜５０μｍ、好ましくは、５〜２０μｍである。
【００８８】
各信号配線１５および各電源配線２１の幅は、例えば、１０〜２００μｍ、好ましくは、２０〜１００μｍである。各信号配線１５間の間隔は、例えば、１０〜１０００μｍ、好ましくは、２０〜１００μｍである。また、各電源配線２１間の間隔は、例えば、５０〜１００００μｍ、好ましくは、１００〜１０００μｍである。
【００８９】
また、各外部側端子１７、各ヘッド側端子１６、各供給側端子２３および各素子側端子２２の幅は、例えば、２０〜１０００μｍ、好ましくは、３０〜８００μｍである。また、各外部側端子１７間の間隔と、各ヘッド側端子１６間の間隔と、各素子側端子２２間の間隔とは、例えば、２０〜１０００μｍ、好ましくは、３０〜８００μｍであり、各供給側端子２３間の間隔は、例えば、５０〜１００００μｍ、好ましくは、１００〜１０００μｍである。
【００９０】
カバー絶縁層１４は、導体パターン７が形成される部分に対応するように配置されている。具体的には、カバー絶縁層１４は、第１導体パターン１３に対応して、外部側端子１７およびヘッド側端子１６を露出し、信号配線１５を被覆するパターンで形成されている。また、カバー絶縁層１４は、第２導体パターン１９に対応して、供給側端子２３（図２において図示せず）および素子側端子２２を露出し、電源配線２１を被覆するパターンで形成されている。
【００９１】
カバー絶縁層１４は、上記したベース絶縁層１２の絶縁材料と同様の絶縁材料から形成されている。カバー絶縁層１４の厚みは、例えば、１〜４０μｍ、好ましくは、１〜１０μｍである。
【００９２】
次に、この回路付サスペンション基板１の製造方法について、図３を参照して説明する。
【００９３】
この方法では、まず、図３（ａ）に示すように、金属支持基板１１を用意する。
【００９４】
次いで、図３（ｂ）に示すように、金属支持基板１１の表面に、感光性の絶縁材料のワニスを塗布して乾燥させた後、露光および現像して、加熱硬化することによりベース絶縁層１２を上記したパターンで形成する。
【００９５】
次いで、図３（ｃ）に示すように、ベース絶縁層１２の表面に、導体パターン７を、アディティブ法またはサブトラクティブ法などにより形成する。
【００９６】
次いで、図３（ｄ）に示すように、ベース絶縁層１２の表面に、導体パターン７を被覆するように、感光性の絶縁材料のワニスを塗布して乾燥させた後、露光および現像して、加熱硬化することによりカバー絶縁層１４を上記したパターンで形成する。
【００９７】
次いで、図３（ｅ）に示すように、金属支持基板１１に、スリット部４、挿入開口部２５、本体側挿通開口部９および補助側挿通開口部１０を形成する。スリット部４、挿入開口部２５、本体側挿通開口部９および補助側挿通開口部１０は、例えば、ドライエッチング（例えば、プラズマエッチング）やウェットエッチング（例えば、化学エッチング）などのエッチング法、例えば、ドリル穿孔、レーザ加工などにより、形成する。好ましくは、ウェットエッチングにより形成する。
【００９８】
また、これと同時に、金属支持基板１１を外形加工して、基板本体部２０および補助部３０（挿入部２６を含む）を一体的に備える回路付サスペンション基板１を得る。なお、金属支持基板１１の外形加工では、切欠部２８および挿入部２６を形成する。
【００９９】
その後、図４〜図６に示すように、回路付サスペンション基板１の補助部３０を、基板本体部２０に対して、基板本体部２０の裏面と対向するように折り返す（折返工程）。
【０１００】
具体的には、折返工程では、補助部３０の金属支持基板１１の裏面と基板本体部２０の金属支持基板１１の裏面とが、厚み方向に隣接配置されるように、補助部３０を基板本体部２０に対して折り返す。
【０１０１】
また、折返工程では、折曲部１８の表面（裏面）が山（谷）となるように、補助部３０を折り返す。
【０１０２】
さらに、折返工程において、折り返される補助部３０の挿入部２６を、基板本体部２０の挿入開口部２５に、下側から上側に向かって挿入する。
【０１０３】
この折返工程では、本体側挿通開口部９と補助側挿通開口部１０とが、厚み方向において重複し、それらの内周面が平面視において同一位置となるように、折り返す。これによって、基板本体部２０と補助部３０とには、基板本体部２０と補助部３０との厚み方向を貫通する第１開口部としての挿通開口部２９が形成される。
【０１０４】
次いで、厚み方向に互いに隣接する金属支持基板１１（実装部３の金属支持基板１１および補助部３０の金属支持基板１１）を、図示しないが、例えば、溶接などの接合方法により、接合する（接合工程）。溶接は、例えば、スポット溶接が用いられ、具体的には、特開２００４−１５４８３６号公報、特開２００３−１７３６４３号公報、特開２００５−０７１４６５号公報および特開２００６−０５９４６４号公報に記載されるスポット溶接が用いられる。
【０１０５】
その後、基板本体部２０（回路付サスペンション基板１の表側）において、スライダ実装領域４３に、発光素子４０が裏面に実装されたスライダ３９を、接着剤４２を介して、発光素子４０が挿通開口部２９に挿通されるように、搭載する。詳しくは、スライダ３９を、スライダ実装領域４３において、挿通開口部２９（本体側挿通開口部９）の周りに設けられる接着剤４２を介して、挿通開口部２９を上方から被覆するように、実装する。すると、発光素子４０が層通開口部２９に層通される。
【０１０６】
これによって、搭載されたスライダ３９は、回路付サスペンション基板１において、厚み方向（基板本体部２０と補助部３０との対向方向）の基板本体部２０側に配置される。
【０１０７】
また、スライダ３９に実装されている発光素子４０は、回路付サスペンション基板１の厚み方向（基板本体部２０と補助部３０との対向方向）の補助部３０側に配置される。
【０１０８】
なお、スライダ３９は、回路付サスペンション基板１がハードディスクドライブに用いられるときに、磁気ディスク３２（図６の仮想線参照）に対して、相対的に走行しながら、微小間隔を隔てて浮上するように、スライダ実装領域４３に配置される。また、このスライダ３９には、図６に示すように、磁気ヘッド３８と、光導波路３１と、近接場光発生部材３４とが搭載されている。
【０１０９】
磁気ヘッド３８は、スライダ３９の表面に搭載されており、図６の仮想線で示す磁気ディスク３２に対向し、磁気ディスク３２に対して、読み取りおよび書き込みできるように設けられている。
【０１１０】
光導波路３１は、次に説明する発光素子４０から出射される光を近接場光発生部材３４に入射させるために設けられ、厚み方向に沿って延びるように形成されている。また、光導波路３１の上端には、近接場光発生部材３４が設けられている。
【０１１１】
近接場光発生部材３４は、光導波路３１から入射される光から近接場光を発生させ、この近接場光を磁気ディスク３２に照射して、磁気ディスク３２の微小な領域を加熱するために設けられている。なお、近接場光発生部材３４は、金属散乱体や開口などからなり、例えば、特開２００７−２８０５７２号公報、特開２００７−０５２９１８号公報、特開２００７−２０７３４９号公報、特開２００８−１３０１０６号公報などに記載される、公知の近接場光発生装置が採用される。
【０１１２】
発光素子４０は、光導波路３１に光を入射させるための光源であって、例えば、電気エネルギーを光エネルギーに変換して、高エネルギーの光を出射口から出射する光源である。
【０１１３】
発光素子４０は、金属支持基板１１の挿通開口部２９に挿通されるように、スライダ３９の裏面に搭載される。また、発光素子４０は、その出射口が光導波路３１に対向するように、スライダ３９に搭載されている。
【０１１４】
また、発光素子４０は、その厚みが、金属支持基板１１の厚みに比べて、厚く形成されており、そのため、発光素子４０の下端部（裏面側端部）が、金属支持基板１１の裏面に対してさらに裏側に向かって突出している。
【０１１５】
その後、磁気ヘッド３８を、はんだボール４１を介してヘッド側端子１６と電気的に接続させるとともに、仮想線で示す外部回路基板３５を外部側端子１７と接続させる。続いて、補助部３０（回路付サスペンション基板１の裏側）において、発光素子４０を、ワイヤ３７を介して、素子側端子２２と電気的に接続する。また、基板本体部２０において、電源（図示せず）を供給側端子２３と電気的に接続する。
【０１１６】
これにより、磁気ヘッド３８および発光素子４０を搭載するスライダ３９が実装された回路付サスペンション基板１（本発明の回路付サスペンション基板の一実施形態）を得ることができる。
【０１１７】
その後、ハードディスクドライブにおいて、配線部２の裏面を、ロードビームの表面に搭載して、配線部２を支持させる。
【０１１８】
このような回路付サスペンション基板１が搭載されるハードディスクドライブでは、光アシスト法を採用することができる。
【０１１９】
具体的には、そのようなハードディスクドライブでは、図６の仮想線で示される磁気ディスク３２が、近接場光発生部材３４および磁気ヘッド３８に対して、相対的に走行している。そして、発光素子４０から出射された光が、光導波路３１を通過して、近接場光発生部材３４に至り、近接場光発生部材３４によって発生した近接場光が、近接場光発生部材３４の上側に対向する磁気ディスク３２の表面に照射される。そして、近接場光発生部材３４からの近接場光の照射により、磁気ディスク３２の表面が加熱され、この状態で、磁気ヘッド３８からの磁界の照射により、磁気ディスク３２に情報が記録される。そうすると、磁気ディスク３２の保磁力が低下されているので、この磁気ディスク３２に情報を、小さな磁界の照射によって、高密度で記録することができる。
【０１２０】
そして、この回路付サスペンション基板１では、外部側端子１７と、ヘッド側端子１６と、供給側端子２３とが、いずれも基板本体部２０に配置され、素子側端子２２が補助部３０に配置されている。
【０１２１】
つまり、素子側端子２２は、外部側端子１７、ヘッド側端子１６および供給側端子２３が配置される基板本体部２０とは別の補助部３０に配置されている。
【０１２２】
そのため、上記した外部側端子１７、ヘッド側端子１６および供給側端子２３と、素子側端子２２とを、基板本体部２０と補助部３０とに、別々に低い配置密度でそれぞれ形成でき、これにより、上記した端子間の短絡を防止することができる。その結果、導体パターン７の接続信頼性の向上を図ることができる。
【０１２３】
また、補助部３０を、基板本体部２０の裏面と対向するように折り返すことにより、基板本体部２０の表面に磁気ヘッド３８を配置させながら、基板本体部２０の裏面と対向する補助部３０に発光素子４０を配置することができる。そのため、回路付サスペンション基板１のコンパクト化を図ることができる。
【０１２４】
また、発光素子４０とスライダ３９とが厚み方向に対向配置されるので、発光素子４０をスライダ３９の近傍に配置して、発光素子４０から出射される光をスライダ３９の光導波路３１に確実に入射させることができ、さらには、光導波路３１の光が変換された近接場光による加熱と、磁気ヘッド３８の磁界とによって、光アシスト法を効率的に実施することができる。
【０１２５】
さらに、この回路付サスペンション基板１では、スライダ３９と発光素子４０とが、回路付サスペンション基板１の表面側（基板本体部２０側）と裏面側（補助部３０側）との両側に、それぞれ配置されている。
【０１２６】
そのため、磁気ヘッド３８を、表面側において、レイアウトの設計上の自由が高められたヘッド側端子１６に電気的に接続し、発光素子４０を、裏面側において、レイアウトの設計上の自由が高められた素子側端子部２２に電気的に接続することにより、スライダ３９および発光素子４０のレイアウトの設計上の自由を高めることができる。
【０１２７】
また、上記した方法によれば、補助部３０を折り返した後、補助部３０と基板本体部２０とを溶接により接合する簡易な方法で、補助部３０の折返姿勢を確実に維持することができる。
【０１２８】
なお、上記した説明では、供給側端子２３を、基板本体部２０に設けたが、例えば、図示しないが、補助部３０に設けることもできる。
【０１２９】
その場合には、電源配線２１は、補助部３０に配置される。
【０１３０】
このような回路付サスペンション基板１によれば、外部側端子１７とヘッド側端子１６とが、ともに基板本体部２０に配置され、供給側端子２３と素子側端子２２とが、ともに補助部３０に配置される。
【０１３１】
つまり、供給側端子２３および素子側端子２２は、外部側端子１７およびヘッド側端子１６が配置される基板本体部２０とは別の補助部３０に配置される。
【０１３２】
そのため、外部側端子１７およびヘッド側端子１６と、供給側端子２３および素子側端子２２とを、基板本体部２０と補助部３０とに、別々に低い配置密度でそれぞれ形成でき、これにより、上記した端子間の短絡を防止することができる。その結果、導体パターン７の接続信頼性の向上を図ることができる。
【０１３３】
また、上記した説明では、折返工程および接合工程後の回路付サスペンション基板１に、スライダ３９（発光素子４０が搭載されたスライダ３９）を搭載しているが、それらの各工程の順序はそれに限定されず、例えば、図示しないが、折り返されず、接合されていない回路付サスペンション基板１に、まず、スライダ３９を搭載し、その後、スライダ３９が搭載された回路付サスペンション基板１について、折返工程および接合工程を実施することもできる。
【０１３４】
図７は、本発明の回路付サスペンション基板の他の実施形態の折返工程前の平面図を示す。なお、上記した各部に対応する部材については、以降の各図において同一の参照符号を付し、その詳細な説明を省略する。
【０１３５】
上記した説明では、挿入部２６および挿入開口部２５を形成しているが、例えば、図７に示すように、挿入部２６および挿入開口部２５を形成することなく、補助部３０を折り返すこともできる。
【０１３６】
好ましくは、図１に示すように、挿入部２６および挿入開口部２５を形成し、図４〜図６に示すように、挿入部２６を、挿入開口部２５に挿入して、補助部３０を折り返す。
【０１３７】
図１に示すように、挿入部２６および挿入開口部２５を形成し、図４〜図６に示すように、挿入部２６を挿入開口部２５に挿入することにより、折返工程後における補助部３０の折返し姿勢を安定させることができる。そのため、折返工程後の接合工程において、補助部３０と基板本体部２０との接合を確実に実施することができる。
【０１３８】
図８は、本発明の回路付サスペンション基板の他の実施形態の折返工程前の平面図を示し、図９〜図１１は、図８の回路付サスペンション基板の折返工程後を示し、図９は平面図、図１０は底面図、図１１は断面図であり、（ａ）は図９のＣ−Ｃ線に沿う断面図、（ｂ）は図９のＤ−Ｄ線に沿う断面図を示す。
【０１３９】
上記した説明では、発光素子４０を、スライダ３９の裏面に直接搭載しているが、例えば、図１１に示すように、発光素子４０を、金属支持基板１１に直接搭載することもできる。
【０１４０】
この回路付サスペンション基板１では、図９および図１０に示すように、挿通開口部２９が形成されず、代わりに、出射開口部５０（後述）が形成されている。
【０１４１】
すなわち、折返工程前の回路付サスペンション基板１では、図８に示すように、基板本体部２０において、本体側挿通開口部９が形成されず、本体側出射開口部４７が形成されている。また、補助部３０において、補助側挿通開口部１０が形成されず、補助側出射開口部４８が形成されている。
【０１４２】
そして、折返工程後には、図９〜図１１に示すように、それら本体側出射開口部４７および補助側出射開口部４８からなる第２開口部としての出射開口部５０が形成される。
【０１４３】
具体的には、本体側出射開口部４７は、図８に示すように、実装部３のジンバル部５における幅方向中央であって、スライダ実装領域４３の先端部とヘッド側端子形成部４５の後端部とにわたって形成されている。本体側出射開口部４７は、基板本体部２０の厚み方向を貫通するように、平面視略矩形状に形成されている。
【０１４４】
補助側出射開口部４８は、補助部３０において、本体側出射開口部４７と先側に間隔を隔てて対向配置されている。具体的には、本体側出射開口部４７は、素子側端子形成部４６の先端部と素子実装領域４４（後述）の後端部とにわたって形成されている。補助側出射開口部４８は、補助部３０の厚み方向を貫通するように、平面視略矩形状に形成されている。具体的には、補助側出射開口部４８は、上記した本体側出射開口部４７と、折曲部１８を中心とする線対称形状に形成されている。
【０１４５】
また、補助部３０には、仮想線で示す素子実装領域４４がさらに区画されている。この素子実装領域４４は、素子側端子形成部４６の先側に区画され、表面（上面。折返工程後には、裏面（下面）。図１１参照。）に、発光素子４０が実装される領域である。この素子実装領域４４は、上記した補助側挿通開口部１０（図１参照）と略同一位置に形成されており、スライダ実装領域４３と長手方向において間隔を隔てて対向配置されている。
【０１４６】
この回路付サスペンション基板１を得るには、図示しないが、例えば、まず、金属支持基板１１を用意し、次いで、金属支持基板１１の表面に、感光性の絶縁材料のワニスを塗布して乾燥させた後、露光および現像して、加熱硬化することによりベース絶縁層１２を上記したパターンで形成する。次いで、ベース絶縁層１２の表面に、導体パターン７を、アディティブ法またはサブトラクティブ法などにより形成する。
【０１４７】
次いで、ベース絶縁層１２の表面に、導体パターン７を被覆するように、感光性の絶縁材料のワニスを塗布して乾燥させた後、露光および現像して、加熱硬化することによりカバー絶縁層１４を上記したパターンで形成する。
【０１４８】
次いで、金属支持基板１１にスリット部４、本体側出射開口部４７、補助側出射開口部４８および挿入開口部２５を、上記と同様の方法により形成すると同時に、金属支持基板１１を外形加工する。これにより、基板本体部２０および補助部３０を一体的に備える回路付サスペンション基板１を得る。
【０１４９】
その後、図９〜図１１に示すように、上記と同様の折返工程と接合工程とを順次実施する。
【０１５０】
なお、この折返工程では、本体側出射開口部４７と補助側出射開口部４８とが、厚み方向において重複し、それらの内周面が平面視において同一位置となるように折り返す。これによって、発光素子４０から出射される光が通過して光導波路３１に入射されるように、基板本体部２０と補助部３０との厚み方向を貫通する第２開口部としての出射開口部５０が形成される。
【０１５１】
また、この折返工程では、素子側端子２２とヘッド側端子１６とを、厚み方向において対向配置させるとともに、スライダ実装領域４３と素子実装領域４４とを、厚み方向において対向配置させる。
【０１５２】
折返工程および接合工程後、基板本体部２０（回路付サスペンション基板１の表側）において、スライダ実装領域４３に、スライダ３９（発光素子４０が搭載されていないスライダ３９）を、接着剤４２を介して搭載して、続いて、磁気ヘッド３８を、はんだボール４１を介してヘッド側端子１６と電気的に接続する。また、回路付サスペンション基板１の表側において、図１１（ａ）の仮想線で示す外部回路基板３５を外部側端子１７と電気的に接続する。
【０１５３】
また、補助部３０（回路付サスペンション基板１の裏側）において、素子実装領域４４に、発光素子４０を、スライダ３９と厚み方向に対向配置されるように、搭載する。詳しくは、発光素子４０を、発光素子４０の出射口が出射開口部５０および光導波路３１と厚み方向に対向するように、搭載する。続いて、発光素子４０を、はんだボール４１を介して素子側端子２２と電気的に接続する。また、回路付サスペンション基板１の表側において、図示しない電源を供給側端子２３と電気的に接続する。
【０１５４】
これにより、磁気ヘッド３８を搭載するスライダ３９と発光素子４０とが実装された回路付サスペンション基板１（本発明の回路付サスペンション基板の他の実施形態）を得ることができる。
【０１５５】
この回路付サスペンション基板１では、発光素子４０から出射された光（図１１（ｂ）の破線矢印で示す。）が、出射開口部５０を通過して、光導波路３１に入射され、続いて、近接場光発生部材３４に至り、近接場光発生部材３４によって近接場光を発生させる。
【０１５６】
そして、図８〜図１１に示す回路付サスペンション基板１によっても、図１〜図６に示す回路付サスペンション基板１と同様に、各端子間の低い配置密度を確保でき、同時に回路付サスペンション基板１のコンパクト化を図ることができる。
【０１５７】
好ましくは、図４〜図６に示すように、発光素子４０を、スライダ３９の裏面に直接搭載する。
【０１５８】
図６に示す回路付サスペンション基板１では、図１１に示す回路付サスペンション基板１に比べ、発光素子４０をスライダ３９に予め搭載していることから、光導波路３１に対する発光素子４０の位置合わせの精度（光学的精度）を向上させることができる。
【０１５９】
また、発光素子４０は、挿通開口部２９に挿通されているので、素子実装領域４４における薄型化を図ることができる。
【０１６０】
図１２は、本発明の回路付サスペンション基板の他の実施形態の平面図を示す。
【０１６１】
上記した説明では、素子側端子２２を、素子側端子形成部４６に形成しているが、例えば、図１２に示すように、素子実装領域４４に形成することもできる。
【０１６２】
図１２において、素子側端子２２は、補助部３０において、素子実装領域４４の先端縁に沿って、幅方向に間隔を隔てて並列配置されている。
【０１６３】
第１電源配線２１ａは、補助部３０において、素子実装領域４４を幅方向一方側（外側）および先側に迂回するように配置されており、先端部が、第１素子側端子２２ａの先端部に接続されている。また、第２電源配線２１ｂは、補助部３０において、素子実装領域４４を幅方向他方側（外側）および先側に迂回するように配置されており、先端部が、第２素子側端子２２ｂの先端部に接続されている。
【０１６４】
図１３は、本発明の回路付サスペンション基板の他の実施形態の折返工程前の折曲部の拡大平面図、図１４は、本発明の回路付サスペンション基板の他の実施形態の折返工程前の折曲部の拡大図であって、（ａ）は平面図、（ｂ）は（ａ）のＥ−Ｅ線に沿う断面図を示す。
【０１６５】
上記した説明では、切欠部２８を平面視略三角形状に形成しているが、その形状は限定されず、例えば、図１３に示すように、平面視略半円形状などの適宜の形状に形成することもできる。
【０１６６】
また、上記した説明において、折曲部１８における電源配線２１を、金属支持基板１１によって支持しているが、例えば、図１４に示すように、金属支持基板１１によって支持させないように、折曲部１８に通過させることもできる。
【０１６７】
折曲部１８には、金属支持基板１１の厚み方向を貫通する折曲開口部２９が形成されている。
【０１６８】
折曲開口部２９は、平面視において、幅方向に長い長穴形状に形成されている。折曲開口部２９は、幅方向中に形成されている。詳しくは、折曲開口部２９は、２つの切欠部２８の間に、それらと幅方向に間隔を隔てて形成されている。また、折曲開口部２９は、複数の電源配線２１を露出させるように形成されている。
【０１６９】
折曲開口部２９から露出する電源配線２１は、ベース絶縁層１２によって下側から支持され、カバー絶縁層１４によって上側から支持されている。
【０１７０】
折曲開口部２９が形成されることにより、折曲部１８を、機械強度をより一層低下させた脆弱部分として形成することができるので、折返工程をより一層容易に実施することができる。
【０１７１】
さらに、電源配線２１は、折曲開口部２９によって支持されることなく、比較的柔軟な絶縁材料（合成樹脂）などからなるベース絶縁層１２やカバー絶縁層１４によって支持されているので、折曲開口部２９から露出する電源配線２１は、折返工程において、折曲部１８の屈曲に柔軟に追従して、緩やかに湾曲することができる。そのため、折曲部１８の屈曲に起因する電源配線２１の断線を有効に防止することができる。
【図面の簡単な説明】
【０１７２】
【図１】本発明の回路付サスペンション基板の一実施形態の折返工程前の平面図を示す。
【図２】図１に示す回路付サスペンション基板のＡ−Ａ線に沿う断面図を示す。
【図３】図２に示す回路付サスペンション基板の製造方法を説明するための工程図であって、（ａ）は、金属支持基板を用意する工程、（ｂ）は、ベース絶縁層を形成する工程、（ｃ）は、導体パターンを形成する工程、（ｄ）は、カバー絶縁層を形成する工程、（ｅ）は、スリット部、挿入開口部、本体側挿通開口部および補助側挿通開口部を形成する工程を示す。
【図４】図１の回路付サスペンション基板の折返工程後の平面図を示す。
【図５】図４の回路付サスペンション基板の底面図を示す。
【図６】図４の回路付サスペンション基板のＢ−Ｂ線に沿う断面図を示す。
【図７】本発明の回路付サスペンション基板の他の実施形態の折返工程前の平面図を示す。
【図８】本発明の回路付サスペンション基板の他の実施形態の折返工程前の平面図を示す。
【図９】図８の回路付サスペンション基板の折返工程後の平面図を示す。
【図１０】図９の回路付サスペンション基板の折返工程後の底面図を示す。
【図１１】図９の回路付サスペンション基板の折返工程後の断面図であり、（ａ）は図９のＣ−Ｃ線に沿う断面図、（ｂ）は図９のＤ−Ｄ線に沿う断面図を示す。
【図１２】本発明の回路付サスペンション基板の他の実施形態の平面図を示す。
【図１３】本発明の回路付サスペンション基板の他の実施形態の折返工程前の折曲部の拡大平面図を示す。
【図１４】本発明の回路付サスペンション基板の他の実施形態の折返工程前の折曲部の拡大図であって、（ａ）は平面図、（ｂ）は（ａ）のＥ−Ｅ線に沿う断面図を示す。
【符号の説明】
【０１７３】
１    回路付サスペンション基板
７    導体パターン
１３  第１導体パターン
１６  ヘッド側端子
１７  外部側端子
１９  第２導体パターン
２０  基板本体部
２２  素子側端子
２３  供給側端子
２５  挿入開口部
２６  挿入部
２９  挿通開口部
３０  補助部
３１  光導波路
３５  外部回路基板
３８  磁気ヘッド
３９  スライダ
４０  発光素子
５０  出射開口部
【図１】
2010118097.tif 000003
【図２】
2010118097.tif 000004
【図３】
2010118097.tif 000005
【図４】
2010118097.tif 000006
【図５】
2010118097.tif 000007
【図６】
2010118097.tif 000008
【図７】
2010118097.tif 000009
【図８】
2010118097.tif 000010
【図９】
2010118097.tif 000011
【図１０】
2010118097.tif 000012
【図１１】
2010118097.tif 000013
【図１２】
2010118097.tif 000014
【図１３】
2010118097.tif 000015
【図１４】
2010118097.tif 000016